(57)【要約】【課題】一般の人が真綿の手引きを気軽に体験でき、手引き体験の後に実用的な物を作成できるキットを提供する。【解決手段】少なくとも、複数枚の真綿シート１〜１、及び、袋材２，３を備え、これらが一つのパッケージに収納されてなるものであって、上記真綿シート１は、人力で当該シートの平面方向Ｐ１，Ｐ２へと引き伸ばすことができるものであり、上記袋材２，３は、上記人力で引き伸ばされた真綿シート１を複数枚重ね合わせたものを内部に収納可能な真綿製品作成体験キットである。【選択図】図１
2011229822.tif 000002
【特許請求の範囲】
【請求項１】
少なくとも、複数枚の真綿シート（１〜１）、及び、袋材（２，３）を備え、これらが一つのパッケージに収納されてなるものであって、
上記真綿シート（１）は、人力で当該シートの平面方向（Ｐ１，Ｐ２）へと引き伸ばすことができるものであり、
上記袋材（２，３）は、上記人力で引き伸ばされた真綿シート（１）を複数枚重ね合わせたものを内部に収納可能なものであることを特徴とする真綿製品作成体験キット。
【発明の詳細な説明】
【技術分野】
【０００１】
本願発明は、一般の人が真綿の手引きを体験できる真綿製品作成体験キットに関するものである。
【背景技術】
【０００２】
布団やクッションなどにおいて、内部に真綿を入れた製品が従来から存在している。そのうち、内部に手引き真綿を入れたものは、職人が手作業で作成していた。なお、「手引き真綿」とは、蚕の繭をほぐしてシート状にしたもの（真綿シート）を平面方向に引き伸ばすことによって作成したものを言う。真綿シートは生糸が絡まりあったものであることから、人力によって大きく引き伸ばすことができる。
【先行技術文献】
【特許文献】
【０００３】
【特許文献１】特開２００８−２３７７２３号公報
【発明の概要】
【発明が解決しようとする課題】
【０００４】
真綿シートが一般には入手しにくいものであることから、今までは、一般の人が手引き真綿の作成を気軽に体験できるものが存在しなかった。
【０００５】
一般の人向けのものとして、例えば、特許文献１に記載された「手造り履物キット」のようなものがあれば便利である。更には、手引き体験をした後に、作成した手引き真綿を利用して、作成者自身が家庭で使うことができ、また、友達などにプレゼントできるような実用的な物を作成できることが望ましい。
【０００６】
上記のことから、本願発明は、一般の人が真綿の手引きを気軽に体験でき、手引き体験の後に実用的な物を作成できるキットを提供することを課題とする。
【課題を解決するための手段】
【０００７】
上記課題を解決するために、本願発明は、少なくとも、複数枚の真綿シート１〜１、及び、袋材２，３を備え、これらが一つのパッケージに収納されてなるものであって、上記真綿シート１は、人力で当該シートの平面方向Ｐ１，Ｐ２へと引き伸ばすことができるものであり、上記袋材２，３は、上記人力で引き伸ばされた真綿シート１を複数枚重ね合わせたものを内部に収納可能なものであることを特徴とする真綿製品作成体験キットを提供する。
【発明の効果】
【０００８】
本願発明は、複数枚の真綿シート、及び、袋材を備え、これらが一つのパッケージに収納されたものであることから、一般の人が真綿の手引きを気軽に体験できるものである。そして、手引きにより引き伸ばされた真綿シートを複数枚重ね合わせたものを袋材の内部に収納可能であることから、例えばひざ掛けなど、実用的な物を作成できる。
【図面の簡単な説明】
【０００９】
【図１】本願発明の一実施形態に係る真綿製品作成体験キットの構成を示す概要図である。
【図２】本願発明の一実施形態に係る真綿製品作成体験キットの使用方法を説明する概要図であり、（Ａ）は真綿シートを手引きする要領を示し、（Ｂ）は手引きした真綿シートを重ね合わせる様子を示す。
【図３】本願発明の一実施形態に係る真綿製品作成体験キットの使用方法を説明する概要図であり、（Ａ）は図２（Ｂ）の状態としたものに収納用補助シートを重ね合わせた様子を示し、（Ｂ）は（Ａ）の状態としたものを筒状に巻いた様子を示す。
【図４】本願発明の一実施形態に係る真綿製品作成体験キットの使用方法を説明する概要図であり、真綿シートを収納した中袋をカバーに収納する様子を（Ａ）〜（Ｃ）の順に示したものであって、（Ａ）は斜視、（Ｂ）（Ｃ）は断面視による。
【発明を実施するための形態】
【００１０】
次に、本願発明の真綿製品作成体験キットにつき、一実施形態を取り上げて説明を行う。
【００１１】
本実施形態では、ひざ掛けを作成するキットとしているが、その他、例えば座布団、クッション、布団など、真綿を用いた種々の製品を作成するキットとすることができる。
【００１２】
本実施形態の真綿製品作成体験キット（以下、キットと記す）Ｋは、図１に示すように、複数枚の真綿シート１〜１（１ａ〜１ａ）、袋材である中袋２とカバー３、収納用補助シート４（図３に示す）の各々から構成されたものである。これらが一つのパッケージ（図示していない）に収納されており、そのパッケージに収納された状態で流通がなされる。パッケージは箱や袋など種々の形態とでき、紙製や樹脂製など種々の材質を用いることができる。また、パッケージを透明としたり、一部に窓部を設けることで真綿シート１〜１（１ａ〜１ａ）やカバー３などの収納物が外部から見えるようにされていても良いし、不透明とされていても良い。また、パッケージへの収納物は、必要に応じて小袋に収納されたものやボール紙などの型紙を添えたものとされている。
【００１３】
なお、本発明のキットＫは、少なくとも複数枚の真綿シート１〜１（１ａ〜１ａ）と一つの袋材とから構成されていれば良く、その他のものは作成する真綿製品の種類によって任意に付加できる。
【００１４】
それぞれの真綿シート１（１ａ）は、手引き、つまり人力で平面方向へと引き伸ばすことが容易にできるものである。これは、いわゆる「角真綿」と呼ばれる、繭をほぐしてほぼ正方形に成型したシート状のものである。本実施形態における真綿シート１（１ａ）は、手引き前の状態において約２５cm四方の大きさとされているが、真綿シート１（１ａ）の大きさは、キットＫを収納するためのパッケージの大きさなどに応じ、種々の大きさとすることができる。
【００１５】
袋材は、手引きされた（人力で引き伸ばされた）状態の真綿シート１（１ｂ）が複数枚重ね合わせられたものを内部に収納可能な袋状のものである。本実施形態では、中袋２とカバー３の二つからなっており、手引きされた真綿シート１〜１（１ｂ〜１ｂ）はまず中袋２に収納され、その中袋２を更にカバー３に収納する。
【００１６】
本実施形態における中袋２は布製であって、図１に示すように三辺が閉鎖された、平面視がほぼ正方形のものであり、一辺には扁平な筒状の収納口部２１が突出して設けられている。この収納口部２１の開口した部分を通して真綿シート１〜１（１ｂ〜１ｂ）が中袋２の内部に収納される。なお、本実施形態では、この収納口部２１の開口した部分は閉鎖できるものとはされていない。
【００１７】
なお、収納口部２１の形状は本実施形態のものに限定されるものではなく、例えば中袋２の一辺全体が開口したものであっても良いし、下記のカバー３と同じく、ファスナーなどの閉鎖手段を設けて開口部を閉鎖できるようにしていても良い。
【００１８】
また、中袋２のうち、真綿シート１〜１（１ｂ〜１ｂ）の収納前の状態における内面側四隅には、耳部２２が設けられている（図１に破線で示す）。この耳部２２はループ状とされた紐からなっており、ここに下記カバー３に設けられた連結紐３３が結ばれる。
【００１９】
本実施形態におけるカバー３も布製であって、上記の中袋２と同様に三辺が閉鎖された、平面視がほぼ正方形のものである。このカバー３には一辺のほぼ全部が開口した収納口部３１が設けられており、この収納口部３１から真綿シート１〜１（１ｂ〜１ｂ）が収納された状態の中袋２が内部に収納される。この収納口部３１にはファスナー、スナップ、ボタンなどの閉鎖手段３２が設けられている。この閉鎖手段３２は、中袋２や中袋２に収納された真綿シート１（１ｂ）が外部に飛び出ない程度に収納口部３１を閉鎖できるものであれば良い。
【００２０】
また、カバー３のうち、中袋２の収納前の状態における外面側四隅には、連結紐３３が設けられている。この連結紐３３はカバー３の一隅当たり二本の紐からなっており、上記中袋２の耳部２２に結び付けることができる。
【００２１】
カバー３には上記の他、作成者の氏名や作成年月日を記入できる記入ラベルなどが設けられていても良い。
【００２２】
収納用補助シート４は、真綿シート１〜１（１ｂ〜１ｂ）を中袋２に収納する際に、図３（Ｂ）に示すように一度筒状に巻くのであるが、その際に真綿シート１〜１（１ｂ〜１ｂ）同士がからまって形崩れすることを防止するために一時的に用いられるものであって、真綿製品の完成後は不要になるものである。この収納用補助シート４としては、ビニールシートなど、一般的な軟質樹脂製のシートが用いられ、その大きさは、手引きされた真綿シート１（１ｂ）よりも大きいものとすることが望ましい。
【００２３】
次に、本実施形態のキットＫの使用方法について説明する。
【００２４】
まず、中袋２をテーブルや床などの平らな面に広げる。次に、真綿シート１〜１（１ａ〜１ａ）を用意する。この真綿シート１〜１（１ａ〜１ａ）は、図１に示すように、複数枚が重ねられた状態でパッケージ内に収納されていることから、下記の手引き作業を行うために、まずは一枚の真綿シート１（１ａ）を重ねられた状態のものからはがす。
【００２５】
上記のようにはがされた真綿シート１（１ａ）を、一枚ずつ対角方向に引っ張る。具体的には、図２（Ａ）に示すＰ１方向とＰ２方向に引っ張ることで、図２（Ｂ）に示すように手引きされた真綿シート１（１ｂ）とする。この手引き作業は、手引き後の真綿シート１（１ｂ）の平面視における大きさが中袋２の大きさよりやや大きくなる程度になされる。
【００２６】
具体的に、この手引き作業は作成者二人のうち一人が両手でＰ１方向に引っ張り、もう一人が両手でＰ２方向に引っ張って行う。つまり、この作業は一人で行うことができず、家族や友人の手を借りることになる。そのため、真綿製品の作成過程をより思い出深いものとして、作成者に印象付けることができる。もちろん、三人以上の作成者が四方への引っ張りを各々担当するものとしても良い。
【００２７】
中袋２の内部を満たすためには、多数の真綿シート１（１ｂ）が必要であるため、上記手引き作業を繰り返して行う。手引きされた真綿シート１（１ｂ）は、図２（Ｂ）に示すように順次中袋２の上に積み重ねられる。
【００２８】
手引き作業が終わったら、図３（Ａ）に示すように、積み重ねられた真綿シート１〜１（１ｂ〜１ｂ）上に収納用補助シート４を重ねる。そして、図３（Ｂ）に示すように、中袋２が外側に露出し、収納口部２１が端面に出るようにして両側から筒状に巻き込んでいく。
【００２９】
そして、収納口部２１と反対側の端部を図３（Ｂ）に示すＰ３方向に反転させることで、中袋２の内部に積み重ねられた真綿シート１〜１（１ｂ〜１ｂ）が収納された状態とする。その後、収納用補助シート４を収納口部２１から取り出し、真綿シート１〜１（１ｂ〜１ｂ）の中袋２内部における位置の偏りを修正し、中袋２から突出している収納口部２１を中袋２の内部に折り込む。図３（Ｂ）に示すように、両側から筒状に巻き込んだ状態にすることで、反転させやすく、反転後の真綿シート１〜１（１ｂ〜１ｂ）の偏りも小さくでき、更に収納用補助シート４の取り出しもしやすくできる。以上で、中袋２に真綿シート１〜１（１ｂ〜１ｂ）を収納する作業が完結する。
【００３０】
次に、カバー３をテーブルや床などの平らな面に広げる。ここで、カバー３の内面側に記入ラベルが設けられている場合は、この時点で作成者の氏名や作成年月日を記入しておく。そして、図４（Ａ）に示すように、真綿シート１〜１（１ｂ〜１ｂ）が収納された中袋２をＰ４方向に移動させて両者を重ね合わす。そして、中袋２とカバー３の一隅毎に、中袋２の耳部２２とカバー３の連結紐３３とを結ぶ。
【００３１】
そして、図４（Ｂ）に示すように、カバー３の収納口部３１と反対側の部分を方向Ｐ５に移動させることで、図４（Ｃ）に示すようにカバー３が反転して、カバー３の内部に中袋２が収納された状態とできる。
【００３２】
最後に、ファスナーなどの閉鎖手段３２を閉じることにより、カバー３の収納口部３１を閉じて全作業を完了させる。これにより真綿製品（ひざ掛け）が完成する。
【産業上の利用可能性】
【００３３】
本願発明に係る真綿製品作成体験キットは、真綿の手引きを気軽に体験できるものとして、一般家庭で用いることができるのはもちろん、学校での学習教材や、子ども会、老人会などの各種団体での体験行事などに用いることにも適するものである。
【符号の説明】
【００３４】
１    真綿シート
１ａ  手引き前の真綿シート
１ｂ  手引き後の真綿シート
２    袋材（中袋）
３    袋材（カバー）
４    収納用補助シート
【図１】
2011229822.tif 000003
【図２】
2011229822.tif 000004
【図３】
2011229822.tif 000005
【図４】
2011229822.tif 000006